(57)【要約】      （修正有）【課題】複数の角度で調節することができ、変形防止の能力が強く、いろいろな地形に対応できる太陽光単柱架台を提供する。【解決手段】支柱１、斜めサポート２、横レール３、縦レール４とクランプ６を含む架台を有する。支柱１はいくつかあって、垂直に固定されている。縦レール４と支柱１が固定されていて、横レール３が縦レール４に固定され、モジュール７が横レール３に固定されている。横レール３と縦レール４の材質は、すべてＣ型鋼である。支柱１と縦レール４が第一調整部５で繋がって、第一調整部５はお互いに垂直した連結板と固定板を含んでいる。連結板に形成された固定穴を設け、それぞれは支柱１の側と縦レール４に固定されている。固定板は縦レール４を支えるために使用される。固定板の支える作用によって、縦レール４と支柱１のお互いの作用する力が分散する。【選択図】図１
0003207919.tif 000002
【実用新案登録請求の範囲】
【請求項１】
支柱と、横レールと、縦レールと、を含む一種類の太陽光単柱架台であって、
前記支柱は、いくつかあって、垂直に固定され、
前記縦レールは前記支柱に固定されていて、前記横レールは前記縦レールに固定され、モジュールが前記横レールに固定されており、
前記横レールと前記縦レールの材質は、すべてC型鋼であり、
前記支柱と前記縦レールは第一調整部で繋がって、前記第一調整部はお互いに垂直した連結板と固定板とを含み、
前記連結板に形成された固定穴を設け、前記固定穴のそれぞれに前記支柱の側壁と前記縦レールが固定され、
前記支柱と前記C型鋼の前記縦レールに、前記固定穴に対応している長穴を設け、
前記固定板は、前記縦レールを支えるために使用されることを特徴とする一種類の太陽光単柱架台。
【請求項２】
前記連結板の前記固定穴は、複数組の固定穴を有し、その一部の固定穴は、長穴である請求項１に記載の一種類の太陽光単柱架台。
【請求項３】
前記連結板は、V型になり、前記固定板は、前記連結板の中部に固定され、
前記連結板の前記固定穴の前記複数組の固定穴は、三組に分かれ、
第一組の固定穴と第二組の固定穴は、前記連結板の下部に設けられて、前記支柱の側と接続し、
第三組の固定穴は、前記連結板の上部に設けられて、前記縦レールと接続する請求項２に記載の一種類の太陽光単柱架台。
【請求項４】
前記第二組の固定穴は、前記連結板の下端から上端まで分散分布している複数の長穴を含む請求項３に記載の一種類の太陽光単柱架台。
【請求項５】
前記第二組の固定穴は、前記連結板の下端で円弧状形で分布している複数の長穴を含む請求項３または４に記載の一種類の太陽光単柱架台。
【請求項６】
C型クランプをさらに含み、
前記C型クランプは、ベースと、前記ベースの両側に設置されたリミットシートとを含み、
前記ベースに形成された固定穴とリミット溝とがあり、
前記リミット溝は、前記ベースを横断にして、前記リミットシートの方向にで延びている請求項１ないし５のいずれかに記載の一種類の太陽光単柱架台。
【請求項７】
前記ベースは、前記リミットシートから離れている側に段差を設ける請求項６に記載の一種類の太陽光単柱架台。
【請求項８】
前記C型クランプは、前記横レールと前記縦レールの連結に使用される請求項６または７に記載の一種類の太陽光単柱架台。
【考案の詳細な説明】
【技術分野】
【０００１】
本考案は、太陽光架台構造に属する。
【背景技術】
【０００２】
エネルギーの供給が段々減少になっている中、太陽光発電は新型エネルギーとして、応用領域が日々拡大する。新型太陽光架台構造は、太陽光発電の支え構造として、太陽光発電システムの重要な一部である。
【０００３】
現存する太陽光架台は、一般的に、前支柱と後支柱を含み、横レールと縦レールは前後支柱に設置されると言う形である。架台の斜面と斜面角度は、前後支柱の高さで決まる。設置位置が非平坦な地形の場合、地形により、前後支柱を選ぶことが必要である。設置後、架台の角度は予め思った角度と少し差があり、据付が複雑で、地形によりたくさんの要求事項がある。
【０００４】
単柱架台は、すべての支柱が一列に並んでいる太陽光架台のことを指している。このような架台は、角度がより調整しやすい、地形により要求される事項も少ない。しかし、今の技術では、同じ行列の支柱の高さは同じであり、先に支柱を埋めた時、地面には高度差があるので、或いは地形の制限で、支柱の頭部にも高さに差が生じる。また、据付ける時、また設置角度の調整が難しい状況が現われる。
【０００５】
さらに、現存する横レールと縦レールは、ふつうC型鋼を使用している。C型鋼とC型鋼で固定する時、ふつうは部材で穴を開き、ボルトで貫通し固定する。部材は加工する時、穴を開けることが必要になり、加工手順と難度が増加する。それに、開いた穴の位置が固定され、それで支柱全体の寸法が制限されて、据付ける時、架台タイプによっては、必要とする横レールと縦レールの長さと固定穴の位置も異なり、違うタイプの架台が通用できなくて、活用もできない。さらに、C型鋼の両端を通じて、固定した後の安定性も悪く、作用する力は固定穴の周りとボルトに集中し、変形防止の能力が弱い。
【考案の概要】
【考案が解決しようとする課題】
【０００６】
本考案の目的は、一種類の太陽光単柱架台を提供することである。この架台は、複数の角度で調節することができ、変形防止の能力が強くて、いろいろな地形に対応できる。
【課題を解決するための手段】
【０００７】
以上の目的を達成するため、本考案の技術方案は、支柱と、横レールと、縦レールと、を含む一種類の太陽光単柱架台を提供する。支柱はいくつかあって、垂直に一列で固定されている。縦レールと支柱が固定されていて、横レールが縦レールに固定され、モジュールが横レールに固定されている。横レールと縦レールの材質は、すべてC型鋼である。支柱と縦レールが第一調整部で繋がって、第一調整部は、お互いに垂直した連結板と固定板とを含んでいる。連結板に形成された固定穴を設け、それぞれに支柱の側と縦レールが固定されている。固定板は、縦レールを支えるために使用される。現在の技術は、縦レールが支柱の頭部に固定され、それで一列の支柱の頭部の高さがすべて同じになる。しかし、実際の応用では、据付条件が比較的に悪くて、地面の高さも違って、支柱の高さを同じにする保障ができない。
【考案の効果】
【０００８】
本太陽光単柱架台では、第一調整部を通じて、縦レールと支柱の側を連結し、気楽に縦レールを調節でき、高さを統一することができ、大きく据付難度を低くすることができる。さらに、本製品は固定板の支える作用によって、縦レールと支柱のお互いの作用する力が分散して、製品全体がより安定し、変形防止の能力も大幅に増加する。
【０００９】
本考案で述べた太陽光単柱架台は、一種類の優先方案として、連結板に複数組の固定穴があって、その一部の固定穴は長穴である。複数組の固定穴を合わせて、第一調整部の高さを調整でき、同時に第一調整部の据付角度も調整できる。種々の複雑な地形に応じて、各種角度の据付要求を満たすことができる。
【００１０】
本考案で述べた太陽光単柱架台は、一種類の優先方案として、連結板はV型になり、固定板は連結板の中部に固定される。連結板での固定穴は三組に分かれて、第一組の固定穴と第二組の固定穴は連結板の下部に設けられ、支柱の側と接続する。第三組の固定穴は連結板の上部に設けられ、縦レールと接続する。
【００１１】
さらに、述べた第二組の固定穴は、連結板の下端から上端まで分散分布している複数の長穴を含む。
【００１２】
さらに、述べた第二組の固定穴は、連結板の下端で円弧状形で分布している複数の長穴を含む。
【００１３】
本考案で述べた太陽光単柱架台は、一種類の優先方案として、横レールと縦レールは、C型クランプで繋がっている。C型クランプは、ベースとベースの両側に設置されたリミットシートを含む。ベースに形成された固定穴とリミット溝とがあり、リミット溝は、ベースを横断にして、リミットシートの方向に延びている。
【００１４】
本考案で述べた太陽光単柱架台は、一種類の優先方案として、ベースは、リミットシートを離れている側に段差を設けている。
【図面の簡単な説明】
【００１５】
【図１】図１は、本考案の一種類の太陽光単柱架台の全体据付図を示す。
【図２】図２は、図１に示す第一調整部の据付拡大図を示す。
【図３】図３は、図１に示す第一調整部の構造の拡大図を示す。
【図４】図４は、C型クランプの構造の拡大図を示す。
【図５】図５は、一種類のC型クランプの使用状態図を示す。
【図６】図６は、もう一種類のC型クランプの使用状態図を示す。
【考案を実施するための形態】
【００１６】
ここでは、図と具体的な実施する方式を結びつけ、本考案についてもう一度詳しく説明する。
【００１７】
本説明書ですべて公開した特徴や方法や手順は、お互いに邪魔する特徴や手順を除くと、いかなる方式でも組合せできる。
【００１８】
本説明書（任意権利要求付き、概要と図付きを含める）で公開した任意の特徴、特別に説明した特徴以外、すべての他の等価或いは同じような目的がある代わりの特徴を交換できる。つまり、特別に説明した特徴以外、各特徴はシリーズ等価或いは似たような特徴の中の一例である。
【実施例１】
【００１９】
図のように、一種類の太陽光単柱架台は、支柱1、斜めサポート2、横レール3、縦レール4を含む。支柱1は、いくつかあって、垂直に一列で固定されている。縦レール4が支柱1に固定されていて、横レール3が縦レールに4固定されている。横レール3と縦レール4は、お互いに連結して据付平面を形成し、モジュール7が横レール3に固定されている。
【００２０】
横レール3と縦レール4の材質は、すべてC型鋼である。支柱1と縦レール4が第一調整部5で繋がっている。第一調整部5は、お互いに垂直した連結板5.1と固定板5.2を含む。連結板5.1に形成された複数の固定穴5.3を設け、固定穴5.3のそれぞれで、支柱1の側と、縦レール4とが固定されている。
【００２１】
連結板5.1はV型になり、固定板5.2は連結板5.1の中部に固定される。固定板5.2は、連結板5.1を上部と下部とに分け、下部は連結板5.1で、固定板5.2とV型角との間の部分である。
【００２２】
優先した連結板5.1は、両側縁部が直角構造を形成する。連結板5.1での固定穴は、三組に分かれて、一組の固定穴は直角構造の頂角位置のシングルネジの穴に設置され、支柱の側の長穴と位置合わして、ネジで固定する。支柱の側の穴は長穴で、実際の要求によると第一調整部5の高さを調節できる。一組の固定穴は、縦レール4の設置高さを固定する。二組の固定穴は、縦レール4の設置角度を固定する。連結板5.1を回して、最適な位置を見つけて、ネジが二組の固定穴を通じて、支柱1の側の長穴と固定される。二組の固定穴は、連結板5.1の下端から上端まで発散分布している複数の長穴と、連結板5.1の下端で円弧状形で分布している複数の長穴とを含む。発散長穴と円弧状長穴は、お互いに合わせ、モジュールの設置角度を連続的に調整可能である。これにより、モジュールの据付精度が高められる。
【００２３】
以上の架台は、多くの箇所でC型クランプ6で連結している。C型クランプ6は、ベース6.1と、ベースの両側に設置されたリミットシート6.2とを含む。ベース6.1に形成された固定穴6.11とリミット溝6.12とがあり、リミット溝6.12は、ベース6.1を横断にして、リミットシート6.2の方向に延びている。ベース6.1は、リミットシート6.2と離れている側に段差6.3を設ける。リミット溝6.12の深さは、横レール3や縦レール4のC型側の深さと同じで、段差6.3の段差は、横レール3や縦レール4のC型側の厚さと同じである。
【００２４】
C型クランプは、横レール3と縦レール4の連結に使用され、モジュール7の固定にも使用される。
【００２５】
説明書の中で本考案の実施する方式を説明したが、この実施する方式はただの提示で、本考案の保護範囲にかぎらない。本考案の目的範囲を逸脱しない中で、様々な省略、置換および変更が、本考案の保護範囲内に含まれるべきである。
【符号の説明】
【００２６】
1、支柱   2、斜めサポート   3、横レール   4、縦レール   5、第一調整部  5.1、連結板   5.2、固定板   5.3、固定穴   5.31、一組の固定穴   5.32、二組の固定穴   5.33、三組の固定穴   6、C型クランプ   6.1、ベース   6.11、固定穴    6.12、リミット溝   6.2、リミットシート   6.3、段差   7、モジュール
【図１】
0003207919.tif 000003
【図２】
0003207919.tif 000004
【図３】
0003207919.tif 000005
【図４】
0003207919.tif 000006
【図５】
0003207919.tif 000007
【図６】
0003207919.tif 000008